(57)【要約】      （修正有）【課題】  骨折等した骨同士を人体外部から固定する創外固定器の小型軽量化を図ることを課題とする。【解決手段】  創外固定器を、パイプ状の本体１０と、前記本体の側面に、本体を構成するパイプの中心線に平行に並ぶように複数設けられる、所定の創外固定用のピンが嵌合固定できる大きさを有する孔からなる第一嵌入孔群２０と、前記本体の、前記第一嵌入孔群２０が配列される側面に対向する側面に、本体を構成するパイプの中心線に平行に並ぶように複数設けられる、前記所定の創外固定用のピンが嵌合固定できる大きさを有する孔からなる第二嵌入孔群３０とにより構成する。【選択図】  図２
2007075268.tif 000002
【特許請求の範囲】
【請求項１】
パイプ状の本体と、
前記本体の側面に、本体を構成するパイプの中心線に平行に並ぶように複数設けられる、所定の創外固定用のピンが嵌合固定できる大きさを有する孔からなる第一嵌入孔群と、
前記本体の、前記第一嵌入孔群が配列される側面に対向する側面に、本体を構成するパイプの中心線に平行に並ぶように複数設けられる、前記所定の創外固定用のピンが嵌合固定できる大きさを有する孔からなる第二嵌入孔群と
を有する創外固定器。
【請求項２】
前記第一嵌入孔群と前記第二嵌入孔群とは、前記中心線に対称に設けられる請求項１に記載の創外固定器。
【請求項３】
前記本体の側面に、前記第一嵌入孔群が配列される線分と、前記第二嵌入孔群が配列される線分とを含む平面に対してほぼ垂直方向に設けられる複数のネジ穴である固定ネジ穴群を有する
請求項１又は２に記載の創外固定器。
【請求項４】
前記固定ネジ穴群は、前記中心線を挟んだ両側面に設けられる請求項３に記載の創外固定器。
【発明の詳細な説明】
【技術分野】
【０００１】
本発明は骨折等した骨同士を人体外部から固定する創外固定器に関する。
【背景技術】
【０００２】
骨折治療における骨同士の固定方法の一つとして創外固定が施されることがある。創外固定は、固定する骨同士のそれぞれにピンを人体外部から刺して固定し、それぞれのピンを創外固定器により固定するものである。従来の創外固定器は、各ピンを挟持固定するクランプ部とクランプ部同士を連結固定する連結干とから構成される。
【発明の開示】
【発明が解決しようとする課題】
【０００３】
従来の創外固定器はクランプによりピンを挟持固定する構造であり、クランプのサイズダウンに限界があるために小型軽量化が難しく、特に小さな骨片同士を保持することが困難な場合が多い。
本発明は、このような問題に鑑みて、創外固定器としてより小型軽量化を図ることを課題とする。
【課題を解決するための手段】
【０００４】
上記課題を解決するために、本発明は次のような構成を有する。
請求項１に記載の発明は、パイプ状の本体と、前記本体の側面に、本体を構成するパイプの中心線に平行に並ぶように複数設けられる、所定の創外固定用のピンが嵌合固定できる大きさを有する孔からなる第一嵌入孔群と、前記本体の、前記第一嵌入孔群が配列される側面に対向する側面に、本体を構成するパイプの中心線に平行に並ぶように複数設けられる、前記所定の創外固定用のピンが嵌合固定できる大きさを有する孔からなる第二嵌入孔群とを有する創外固定器である。このような構成により、第一嵌入孔群の一つの孔と、第二嵌入孔群の一つの孔とにより、固定する一方の骨に刺された創外固定用のピンを固定し、第一嵌入孔群の別の孔と、第二嵌入孔群の別の孔とにより、固定する他方の骨に刺された創外固定用のピンを固定することで、骨同士を固定する。
請求項２に記載の発明は、前記創外固定器において、前記第一嵌入孔群と前記第二嵌入孔群とは、前記中心線に対称に設けられるものである。
請求項３に記載の発明は、前記創外固定器において、前記本体の側面に、前記第一嵌入孔群が配列される線分と、前記第二嵌入孔群が配列される線分とを含む平面に対してほぼ垂直方向に設けられる複数のネジ穴である固定ネジ穴群を有するものである。
請求項４に記載の発明は、請求項３に記載の創外固定器において、前記固定ネジ穴群は、前記中心線を挟んだ両側面に設けられるものである。
【発明の効果】
【０００５】
請求項１に記載の発明は、パイプ状の本体に孔を設けた簡易な構造によりクランプを使用する場合に比較して小型軽量を図ることができる。
請求項２に記載の発明は、前記第一嵌入孔群と前記第二嵌入孔群とが対称に形成されることで、パイプの中心線方向に対してピンをほぼ垂直に保持することができる。
請求項３に記載の発明は、固定ネジ穴群を構成する適当なネジ穴にネジを係合させて、第一嵌入孔群を構成する孔と第二嵌入孔群を構成する孔とにより固定されているピンに対して側面から押圧することで、よりピンを強く固定することができる。
請求項４に記載の発明は、前記ネジ穴を両側面に設けることで、ピンを挟持するように
ネジにより押圧することができるので、より強固に固定することができ、また、第一嵌入孔群及び第二嵌入孔群を構成する孔の縁部が傷むことを抑制することができる。
【発明を実施するための最良の形態】
【０００６】
以下、本発明の実施形態について、図面を参照しながら説明する。
（実施形態１）
図１に実施形態１に係る創外固定器Ｘの斜視図を示し、図２に創外固定器Ｘの縦断面図を示す。創外固定器Ｘの本体１０はステンレス製の円形断面を持つパイプ状であり、長さは６０ｍｍ、直径約６ｍｍ、壁厚約１ｍｍに形成されている。そして、本体１０の側面に中心線に平行に並ぶ複数の孔（第一嵌入孔２０ａ）からなる第一嵌入孔群２０が形成されている。さらに、第一嵌入孔群２０に本体１０の中心線に対して対称に、複数の孔（第二嵌入孔３０ａ）からなる第二嵌入孔群３０とが形成されている。第一嵌入孔２０ａおよび第二嵌入孔３０ａは共に、創外固定に用いられるピンが嵌合し固定できる大きさを有する。ここでは、直径約１ｍｍのピンが嵌合できるような大きさに形成されている。また、第一嵌入孔群２０および第二嵌入孔群３０では、それぞれ、約４ｍｍの間隔をもって第一嵌入孔２０ａ、第二嵌入孔３０が配列されている。
【０００７】
次に、以上のような構成を有する創外固定器Ｘの使用方法について説明する。まず、固定する骨同士のそれぞれの部位に、創外固定用のピンPを刺してピンPを骨に固定する。ピンPは必要に応じて、それぞれの骨片に対して複数固定される。なお、ピンPを固定する際には、創外固定器Ｘにおける各嵌入孔群の孔の間隔に合うように予め位置決めをしておく。その後、創外固定器Ｘの第一嵌入孔群２０、および、第二嵌入孔群３０の中から適当な第一嵌入孔２０ａ、第二嵌入孔３０ａを選び、各ピンPを後端から差し込んでピンP同士を創外固定器Ｘにより固定することで作業が完了する。なお、創外固定器Ｘの本体が中空のパイプ状であるので、必要に応じて図３の一部拡大縦断面図に示すように、ピンPを斜めに刺して固定することもできる。
【０００８】
（実施形態２）
図４に実施形態２に係る創外固定器Ｙを示し、図５に創外固定器Ｙの縦断面図を示す。本創外固定器Ｙの実施形態１に係る創外固定器Ｘとの相異点は、第一嵌入孔群２０と第二嵌入孔群３０が設けられた本体１０の側面上の線分を、本体１０の中心線を中心に約９０度回転させた位置にピン固定用のネジ穴群４０を設けた点である。即ち、ネジ穴群４０を構成するネジ穴の方向は、第一嵌入孔群２０が配列される線分と第二嵌入孔群３０が配列される線分とを含む平面に垂直な方向となる。また、ネジ穴群４０は、中心線を挟んで対称に形成されており、ここでは各ネジ穴の呼び径は１．５ｍｍに形成され、ネジ穴間は、約４ｍｍに形成されている。
【０００９】
次に、このような構成を有する創外固定器Ｙの使用方法について説明する。まず、固定する骨同士のそれぞれの部位に、創外固定用のピンPを刺してピンPを骨に固定する。ピンPは必要に応じて、それぞれの骨片に対して複数固定される。なお、ピンPを固定する際には、創外固定器Ｙにおける各嵌入孔群の孔の間隔に合うように予め位置決めをしておく。その後、創外固定器Ｙの第一嵌入孔群２０、および、第二嵌入孔群３０の中から適当な第一嵌入孔２０ａ、第二嵌入孔３０ａを選び、各ピンを後端から差し込んでピンP同士を創外固定器Ｙにより固定する。さらに、それぞれのピンPについて、ピンPの位置に合致する相対する２つのネジ穴４０ａにセットスクリューを係合させて、嵌入されたピンPを側面から挟持するようにセットスクリューを締め付けることでピンPを固定し作業が完了する。このようにネジによりピンPを固定するのでピンPをより強固に固定することができ、また、ピンPの大きさが嵌入孔の大きさより多少小さくてもピンPを固定することができる。
【００１０】
なお、上記各実施形態でのべた本体１０の材質は、アルミニウム、カーボン、合成樹脂等種々の材質を採用でき、また、形状も円形断面の他、正方形状や三角形状等の種々の断面形状を用いることができ、本体にカーブを設けたりすることもできる。また、本体や第一嵌入孔、第二嵌入孔等の大きさも治療対象として想定される部位に応じて適宜変更することができる。
【図面の簡単な説明】
【００１１】
【図１】本実施形態１に係る創外固定器の斜視図である。
【図２】本実施形態１に係る創外固定器の縦断面図である。
【図３】実施形態１に係る創外固定器の一部拡大縦断面図である。。
【図４】実施形態２に係る創外固定器の斜視図である。
【図５】実施形態２に係る創外固定器の縦断面図である。
【符号の説明】
【００１２】
Ｘ、Ｙ      創外固定器
１０        本体
２０        第一嵌入孔群
２０ａ      第一嵌入孔
３０        第二嵌入孔群
３０ａ      第二嵌入孔
４０        ネジ穴群
【図１】
2007075268.tif 000003
【図２】
2007075268.tif 000004
【図３】
2007075268.tif 000005
【図４】
2007075268.tif 000006
【図５】
2007075268.tif 000007